(57)【要約】      （修正有）【課題】介護施設等において、共有スペースに設置されて、被介護者等が運転中に内部に触れて火傷をする危険性が無い、安全で且つ低コストの加熱消毒保管装置を提供する。【解決手段】加熱消毒保管装置１は、被消毒保管物を収容する消毒保管室１０および消毒保管室１０の加熱手段を有する本体部２と、本体部２の消毒保管室１０を開閉する扉体３と、扉体３の施錠・開錠を行うインターロック機構と、を備える。インターロック機構は、本体部２に設けられたロック部材と、扉体３に設けられたロック受部４４と、本体部２に設けられると共にロック部材に接続されてロック部材をロック受部４４に対して係止・係止解除させる駆動手段と、を有する。【選択図】図２
0003181050.tif 000002
【実用新案登録請求の範囲】
【請求項１】
消毒保管室に収容された被消毒保管物を加熱して消毒する加熱消毒保管装置であって、
前記消毒保管室および該消毒保管室の加熱手段を有する本体部と、
前記本体部の前記消毒保管室を開閉する扉体と、
前記扉体の施錠・開錠を行うインターロック機構と、を備え、
前記インターロック機構は、前記本体部に設けられたロック部材と、前記扉体に設けられたロック受部と、前記本体部に設けられると共に該ロック部材に接続されて該ロック部材を該ロック受部に対して係止・係止解除させる駆動手段と、を有すること
を特徴とする加熱消毒保管装置。
【請求項２】
前記消毒保管室の内部の温度を検出する第１の温度センサと、
少なくとも前記加熱手段および前記駆動手段の制御を行う制御手段と、をさらに備え、
前記制御手段は、前記加熱手段による加熱が行われているときに、もしくは、前記第１の温度センサによる検出温度が所定温度を超えた状態のときに、前記扉体の施錠を行うように前記インターロック機構の前記駆動手段の制御を行うこと
を特徴とする請求項１記載の加熱消毒保管装置。
【請求項３】
前記駆動手段および前記制御手段を収容する第１の機器収容室をさらに備え、
前記第１の機器収容室は、内部に空気を取り込む吸気口と、取り込んだ空気を排気する排気口と、該吸気口から空気を取り込んで該第１の機器収容室の内部を冷却して該排気口から排気を行う送風ファンと、を有すること
を特徴とする請求項２記載の加熱消毒保管装置。
【請求項４】
前記第１の機器収容室に隣接する第２の機器収容室をさらに備え、
前記第２の機器収容室は、内部に空気を取り込む吸気口と、取り込んだ空気を排気する排気口と、前記第１の機器収容室との間の区画壁に設けられて該第１の機器収容室に連通する連通口と、を有し、
前記連通口が、前記第１の機器収容室の排気口となり、且つ、前記第２の機器収容室の吸気口となり、該第１の機器収容室からの排気が該第２の機器収容室の冷却に用いられること
を特徴とする請求項３記載の加熱消毒保管装置。
【請求項５】
前記第１の機器収容室および前記第２の機器収容室の上面部が開口部を有しない一枚の天板として形成され、
前記第１の機器収容室の吸気口および前記第２の機器収容室の排気口は、それぞれ該第１の機器収容室の側面部および該第２の機器収容室の側面部に設けられていること
を特徴とする請求項４記載の加熱消毒保管装置。
【請求項６】
前記第１の機器収容室の内部の温度を検出する第２の温度センサをさらに備え、
前記制御手段は、前記第２の温度センサによる検出温度が所定温度を超えた状態のときに、前記加熱手段による前記消毒保管室の加熱の停止もしくはアラーム手段によるアラームの発生の少なくとも一方を実行する制御を行うこと
を特徴とする請求項３〜５のいずれか一項に記載の加熱消毒保管装置。
【考案の詳細な説明】
【技術分野】
【０００１】
本考案は、加熱消毒保管装置に関し、さらに詳細には、消毒保管室に収容された被消毒保管物を加熱して消毒する加熱消毒保管装置に関する。
【背景技術】
【０００２】
給食施設や介護施設あるいは保育園、託児所等における食器・調理器具等の消毒・保管を行うための装置として、従来より加熱式の消毒保管装置が知られている（例えば、特許文献１参照）。
【先行技術文献】
【特許文献】
【０００３】
【特許文献１】特開２００２−０１０９６５号公報
【考案の概要】
【考案が解決しようとする課題】
【０００４】
近年、ユニットケア方式と呼ばれる介護方式の割合が増加している。このユニットケア方式とは、従来方式に比べてより日常に近い生活を送れるように配慮した介護方式である。例えば、１ユニット１０名以下の単位にて個室の居住スペースと広い共有スペースとからなり、共有スペースにて炊飯、盛り付け（施設によっては簡単な調理）、食事が行われ、食器・調理器具の洗浄・保管も各ユニット単位で実施される場合が多い。したがって、このようなユニットケア方式に適した加熱消毒保管装置が求められている。
【０００５】
一方、特許文献１に例示される加熱消毒保管装置は、運転中に消毒保管室内の温度が１００［℃］前後まで上昇するため、運転中に扉を開けて内部の食器・調理器具等に素手で触れると火傷してしまう危険があった。
【０００６】
本考案は、上記事情に鑑みてなされ、ユニットケア方式の介護施設あるいは保育園・託児所等において、共有スペースに設置されて、被介護者あるいは子供等が運転中に内部に触れて火傷をする危険性が無い、安全で且つ低コストの加熱消毒保管装置を提供することを目的とする。
【課題を解決するための手段】
【０００７】
一実施形態として、以下に開示するような解決手段により、前記課題を解決する。
【０００８】
開示の加熱消毒保管装置は、消毒保管室に収容された被消毒保管物を加熱して消毒する加熱消毒保管装置であって、前記消毒保管室および該消毒保管室の加熱手段を有する本体部と、前記本体部の前記消毒保管室を開閉する扉体と、前記扉体の施錠・開錠を行うインターロック機構と、を備え、前記インターロック機構は、前記本体部に設けられたロック部材と、前記扉体に設けられたロック受部と、前記本体部に設けられると共に該ロック部材に接続されて該ロック部材を該ロック受部に対して係止・係止解除させる駆動手段と、を有することを特徴とする。
【考案の効果】
【０００９】
開示の加熱消毒保管装置によれば、運転中に内部に触れて火傷をしてしまうことの防止が可能となるため、ユニットケア方式の介護施設等において、共有スペースに安全に設置することが可能となる。また、簡素な構造でこれを実現しているため、装置コストの低減を図ることが可能となる。
【図面の簡単な説明】
【００１０】
【図１】本考案の実施形態に係る加熱消毒保管装置の例を示す斜視図である。
【図２】図１の加熱消毒保管装置の蓋部を取り外して扉体を開けた状態の斜視図である。
【図３】図１の加熱消毒保管装置の蓋部を取り外した状態の平面図である。
【図４】図１の加熱消毒保管装置の側面図（断面図）である。
【図５】図１の加熱消毒保管装置の正面図（部分拡大図）である。
【図６】図１の加熱消毒保管装置のインターロック機構の動作を説明するための説明図である。
【図７】図１の加熱消毒保管装置の構成例を示すブロック図である。
【図８】図１の加熱消毒保管装置のロック受部の他の例を示す側面図（部分拡大図）である。
【図９】図１の加熱消毒保管装置の排気口の例を示す断面図である。
【考案を実施するための形態】
【００１１】
以下、図面を参照して、本考案の実施の形態について詳しく説明する。図１は、本考案の実施形態に係る加熱消毒保管装置１の例を示す斜視図（概略図）である。また、図２は、図１の加熱消毒保管装置１の蓋部４を取り外して、扉体３を開けた状態の斜視図（概略図）である。また、図３は、図１の加熱消毒保管装置１の蓋部４を取り外した状態の平面図（概略図）である。また、図４は、図１の加熱消毒保管装置１の側面断面図（概略図）である。また、図７は、図１の加熱消毒保管装置の構成例を示すブロック図である。なお、実施形態を説明するための全図において、同一の機能を有する部材には同一の符号を付し、その繰り返しの説明は省略する場合がある。
【００１２】
本実施形態に係る加熱消毒保管装置１は、内部に食器・調理器具等の被消毒保管物を収容し、熱風を循環させて加熱して消毒する装置である。一例として、給食施設や介護施設、より具体的には、ユニットケア方式の介護施設あるいは保育園・託児所等において、共有スペースに設置されて使用される装置である。
【００１３】
図１〜図４に示すように、加熱消毒保管装置１は、外装と内装との間に断熱材（グラスウール）１２を充填した断熱構造を有する略箱体状の本体部２の内部に、その内壁と所要の空間１４を保持して消毒保管室１０が配設されている。なお、装置の操作部、スイッチ類は正面パネル６２ｃに設けられている。
【００１４】
本体部２および消毒保管室１０の構造材としては、例えば、ステンレス合金等の材料が用いられる。なお、本体部２は下部に四つのキャスター１６を備えて、移動自在となっている。ただし、これに限定されるものではなく、キャスター１６に代えてアジャスター脚を備える構成としてもよい（不図示）。
【００１５】
消毒保管室１０は、その天井部１８の中央部に吸込口１８ａが形成されている。また消毒保管室１０の内部には、複数の棚２０が上下に所定間隔離間して多段的に配置され、各棚２０に、食器・調理器具等の被消毒保管物（不図示）を収容したカゴ２２が載置可能となっている。なお、カゴ２２を用いずに、被消毒保管物を各棚２０に直接、載置して収容してもよい。
【００１６】
前記空間１４は、消毒保管室１０の天井部１８の上部に形成されて吸込口１８ａと連通する上部空間１４ａと、消毒保管室１０の背面側の外部に形成されて上部空間１４ａと連通する側部空間１４ｂとで構成されている。さらに、当該側部空間１４ｂ下部に設けられた開口部１８ｂから消毒保管室１０へと連通している。このように、消毒保管室１０から、空間１４を経由して、再び消毒保管室１０へと連通する空気の流路（図中矢印Ａ）が形成される（図４参照）。
【００１７】
ここで、空間１４内には、上記の流路において空気を循環させる空気循環手段２８と、当該空気の加熱を行う加熱手段３０とが設けられている。例えば、空気循環手段２８として、シロッコファン等のモータ駆動式ファンが用いられ、上部空間１４ａ内に配設される。また、加熱手段３０として、シースヒータ等の電気式ヒータが用いられ、側部空間１４ｂ内に配設される。なお、これらの構成に限定されるものではなく、加熱手段３０は、例えば、ガスバーナ式や蒸気式等を用いてもよい。また、符号２６は、空間１４（上部空間１４ａ）の外壁に対して送風を行って冷却する空間冷却ファンである。
【００１８】
これによれば、空気循環手段２８を稼働させることにより、消毒保管室１０側から吸込口１８ａを通して空間１４内に吸い込んだ空気が、加熱手段３０によって加熱されて熱風とされた後、底部空間１４ｃから消毒保管室１０へと送出される。したがって、当該消毒保管室１０内に収容されている食器・調理器具等の被消毒保管物を加熱して消毒することが可能となる。
【００１９】
消毒保管室１０内の空気の加熱手段３０への吸込側である吸込口１８ａの近傍には、サーミスタ等の温度センサ（「第１の温度センサ」という）３２が配設されている。温度センサ（第１の温度センサ）３２は、消毒保管室１０内の空気の温度を検出するために用いられる。また、側部空間１４ｂ内の加熱手段３０の近傍には、サーミスタ等の温度センサ３４が配設されている。温度センサ３４は、加熱手段３０の温度を検出するために用いられる。両温度センサ３２、３４により検出される検出温度に基づいて、制御手段３６により前記加熱手段３０への通電がＯＮ−ＯＦＦ制御(通電制御)される構成となっている。例えば、消毒保管室１０内の温度は、８０〜１２０［℃］に設定される。なお、本実施形態においては、異常過熱による火災を防止するためにサーモスタット３７が設けられている。
【００２０】
また、加熱消毒保管装置１は、図１、図２に示すように、本体部２の前部に回動可能に設けられ、回動により本体部２の消毒保管室１０を開閉する扉体３を備えて構成されている。これによれば、消毒保管室１０内を密閉することができ、加熱効率を高めると共に、外部からの雑菌等の侵入を防ぐことができる。
【００２１】
ここで、加熱消毒保管装置１は、扉体３の施錠・開錠を行うインターロック機構４０を備えている。当該インターロック機構４０は、図５の部分拡大図（破線部内を透視図としている）に示すように、本体部２に設けられたロック部材４２と、扉体３に設けられたロック受部４４と、本体部２に設けられると共にロック部材４２に接続されてロック部材４２をロック受部４４に対して係止・係止解除させる駆動手段４６と、を備えて構成されている。一例として、ロック部材４２には、ピン状部材が用いられると共に、ロック受部４４は、当該ピン状部材が係止（進入）可能な孔状部として形成されている。また、駆動手段４６として、ソレノイドが用いられる。ただし、これらに限定されるものではなく、例えば、ロック部材４２は、板状部材等を用いてもよい。また、ロック受部４４は、扉体３の開扉を妨げるようにロック部材４２を係止可能な構造であればよいため、突起状部（図８の変形例を参照）、溝状部、板状部等、様々な形状とすることが考えられる。また、駆動手段４６として、モータとギアとの組合せ、もしくはエアシリンダ等を用いてもよい。
【００２２】
なお、本実施形態に係るソレノイド４６は、いずれも図示しないフィールドコアと、フィールドコア内に配置されたボビンに巻回されたコイルと、ボビンの中心孔内に軸線方向に移動自在に挿入された可動鉄心と、ボビンの中心孔内の先端位置に配設されて可動鉄心を吸引する固定鉄心とを備える公知の電磁ソレノイドである。コイルに電流を流したときに発生する磁束によって、固定鉄心に可動鉄心が吸着する作用が生じ、可動鉄心がコイル内すなわちボビンの中心孔内を直線運動する作用が得られる。したがって、本実施形態においては、本体部２に設けられたソレノイド４６の可動鉄心（不図示）とロック部材４２とが接続（連結）されて、当該ロック部材４２が直線運動可能に構成されている。なお、可動鉄心とロック部材４２とを一体に形成してもよい。
【００２３】
インターロック機構４０の動作について、図６（ａ）〜６（ｅ）（破線部内を透視図としている）を用いて説明する。なお、図６（ｅ）は、図６（ｃ）におけるＢ部の拡大図である。図６（ａ）の側面図および図６（ｂ）の正面図は、扉体３が開錠された状態を示す。本実施形態における駆動手段（ソレノイド）４６は、通電を行わないときにロック部材４２を上昇させる作用を生じ、当該ロック部材４２をロック受部４４から係止解除させる。したがって、扉体３が開錠された状態となり、当該扉体３の開閉が可能な状態となる。一方、図６（ｃ）の側面図および図６（ｄ）の正面図は、扉体３が施錠された状態を示す。本実施形態における駆動手段（ソレノイド）４６は、通電を行ったときにロック部材４２を下降させる作用を生じ、当該ロック部材４２をロック受部４４に係止させる。より詳しくは、図６（ｅ）の拡大図に示すように、本体２に支持されたロック部材４２（ここではピン状部材）が、同じく本体２に支持された駆動手段（ソレノイド）４６によって下方に押動されて、扉体３に形成されたロック受部４４（ここでは孔上部）に係止（進入）させた状態となる。したがって、扉体３が施錠された状態となり、当該扉体３の開閉が不能な状態となる。
【００２４】
このように、簡素な構造で扉体３の施錠・開錠を行う機構が実現されるため、装置コストの低減を図ることが可能となる。
【００２５】
ここで、制御手段３６は、前記第１の温度センサ３２による検出温度Ｔ１［℃］が所定温度Ｔｘ［℃］を超えた状態のときに、扉体３の施錠を行うようにインターロック機構４０の駆動手段４６の制御を行う。例えば、加熱手段３０による加熱が行われて、Ｔ１［℃］＞Ｔｘ［℃］となったときに、制御手段３６は、駆動手段（ソレノイド）４６を通電状態として、ロック部材４２をロック受部４４に係止させる制御を行うことによって、扉体３が施錠される。一方、加熱手段３０による加熱が停止して、Ｔ１［℃］＜Ｔｘ［℃］となったときに、制御手段３６は、駆動手段（ソレノイド）４６を非通電状態として、ロック部材４２をロック受部４４から係止解除させる制御を行うことによって、扉体３が開錠される。
【００２６】
このように、インターロック機構４０を備えることによって、消毒保管室１０内を加熱する運転が行われている際に、誤って扉体３を開けて内部に触れてしまうことによる火傷等の事故を防止することが可能となる。したがって、本実施形態に係る加熱消毒保管装置１は、ユニットケア方式の介護施設あるいは保育園・託児所等において、共有スペースに安全に設置することが可能となる。
【００２７】
ここで、図２、３、５に示すように制御手段３６およびインターロック機構４０の駆動手段（ソレノイド）４６は、消毒保管室１０の天井部１８の上部における装置正面側（扉体３のある側）に設けられる第１の機器収容室５０内に配設されている。
【００２８】
さらに、消毒保管室１０の天井部１８の上部における装置背面側（加熱手段３０のある側）には、第１の機器収容室５０に隣接して第２の機器収容室５２が設けられている。当該第２の機器収容室５２内には、空気循環手段（ここでは、モータ駆動式ファン）２８のモータ部等が配設されている。
【００２９】
隣接する第１の機器収容室５０と第２の機器収容室５２との間の区画壁５１には、当該第１の機器収容室５０と第２の機器収容室５２とを相互に連通する連通口５６が設けられている。なお、区画壁５１は、例えば、内部にグラスウールを挟持したステンレス板によって構成されている。
【００３０】
第１の機器収容室５０には、内部に空気を取り込む吸気口５４と、取り込んだ空気を排気する排気口５６とが設けられている。さらに、吸気口５４から空気を取り込んで該第１の機器収容室５０の内部を冷却して排気口５６から排気を行う送風ファン５９が設けられている（図５参照）。本実施形態においては、上記の連通口５６が第１の機器収容室５０における排気口５６を構成している。なお、吸気口５４には防塵フィルター（不図示）が取り付けられており、内部への塵埃の侵入が防止される。
【００３１】
一方、第２の機器収容室５２には、内部に空気を取り込む吸気口５６と、取り込んだ空気を排気する排気口５８とが設けられている。本実施形態においては、上記の連通口５６が第２の機器収容室５２における吸気口５６を構成している。
【００３２】
上記の構成によれば、送風ファン５９を稼働させることによって、吸気口５４から第１の機器収容室５０内に外部の空気を取り込んで、当該第１の機器収容室５０の内部を冷却して、排気口５６から排気することができる。さらに、第１の機器収容室５０の排気口５６からの排気は、そのまま第２の機器収容室５２の吸気口５６からの吸気となるため、第２の機器収容室５２内に当該排気が送り込まれて、当該第２の機器収容室５２の内部を冷却して、排気口５８から排気することができる。
【００３３】
したがって、相対的に熱に弱い制御手段３６および駆動手段（ソレノイド）４６を第１の機器収容室５０内に配設して、相対的に温度の低い外気によって、効果的に冷却することが可能となる。相対的に熱に強い空気循環手段（モータ駆動式ファン）２８のモータ部等を第２の機器収容室５２内に配設して、第１の機器収容室５０からの排気を再利用して、第２の機器収容室５２に専用の送風手段を設けることなく、内部を冷却することが可能となる。このように一つの送風ファン５９を設けるのみで、熱に弱い構成部材を優先的に冷却して保護を行いつつ、その他の機器に対しても冷却を行う機構が実現できる。すなわち、収容された機器の熱害からの保護と装置コストの削減が両立できる。
【００３４】
ここで、図２に示すように、第１の機器収容室５０および第２の機器収容室５２の上面部は、開口部を有しない一枚の天板６０を用いて構成されている。本実施形態においては、同図のように、第１の機器収容室５０および第２の機器収容室５２の側面部を構成する側板６２ａ、６２ｂが天板６０と直角をなして一体に連続する形状に形成されている。なお、第１の機器収容室５０の吸気口５４は側面部（ここでは、正面パネル６２ｃの位置）に設けられている。また。第２の機器収容室の排気口５８は、側面部（ここでは、側板６２ａ、６２ｂおよび背面パネル６２ｄの位置）に設けられている。一例として、排気口５８は、図９の断面図に示すように、ガラリ形状とすることによって、内部への水の浸入を防止することができる。なお、吸気口５４についても同様である。
【００３５】
第１の機器収容室５０および第２の機器収容室５２の上面部が開口部を有しない一枚の天板６０として形成されていることによって、例えば、洗浄後であって濡れたままの状態の食器等が収容された食器カゴを天板６０上に載置することが可能となる。すなわち、天板６０には開口部が無いため、水滴が天板上に落下しても、第１の機器収容室５０および第２の機器収容室５２内へ浸入して、内部の機器を故障・劣化等させるおそれが無い。このように、加熱消毒保管装置１を、テーブル代わりに用いることが可能となる点で、使い勝手が良く、共有スペースで用いられる装置として好適な構成である。
【００３６】
また、第１の機器収容室５０には、内部の温度を検出する温度センサ（「第２の温度センサ」という）６６が配設されている。温度センサ６６は、第１の機器収容室５０内の温度を検出して異常過熱が無いことを監視するために用いられる。
【００３７】
より具体的には、制御手段３６は、温度センサ６６より検出される検出温度Ｔ２［℃］が所定温度Ｔｙ［℃］を超えた状態となったとき、すなわち、Ｔ２［℃］＞Ｔｙ［℃］となったときに、加熱手段３０による消毒保管室１０の加熱を停止する制御を行う。もしくは、本体部２にアラーム手段（不図示）を設けて、アラームを発生させる制御を行ってもよい。または、それら両方の制御を行ってもよい。これによれば、熱に弱い制御手段３６および駆動手段（ソレノイド）４６を熱害から確実に保護することが可能となる。
【００３８】
以上説明した通り、開示の加熱消毒保管装置によれば、運転中に内部に触れて火傷をしてしまうことの防止が可能となるため、ユニットケア方式の介護施設等において、共有スペースに安全に設置することが可能となる。また、簡素な構造でこれを実現しているため、装置コストの低減を図ることが可能となる。
【００３９】
なお、本考案は、以上説明した実施形態に限定されることなく、本考案を逸脱しない範囲において種々変更可能であることは言うまでもない。
【００４０】
例えば、駆動手段（ソレノイド）に関して、非通電時に扉体の施錠を行うように動作させ、通電時に扉体の開錠を行うように動作させる構成としてもよい。
【００４１】
また、扉体の施錠条件に関して、装置の運転が行われているとき、例えば、加熱手段による加熱が行われているとき常に施錠を行う設定としてもよい。
【符号の説明】
【００４２】
１  加熱消毒保管装置
２  本体部
３  扉体
１０  消毒保管室
１４  空間
２８  空気循環手段
３０  加熱手段
３２  温度センサ（第１の温度センサ）
３６  制御手段
４０  インターロック機構
４２  ロック部材
４４  ロック受部
４６  駆動手段
５０  第１の機器収容室
５２  第２の機器収容室
５４  第１の機器収容室の吸気口
５６  連通口（第１の機器収容室の排気口、第２の機器収容室の吸気口）
５８  第２の機器収容室の排気口
５９  送風ファン
６０  天板
６６  温度センサ（第２の温度センサ）
【図１】
0003181050.tif 000003
【図２】
0003181050.tif 000004
【図３】
0003181050.tif 000005
【図４】
0003181050.tif 000006
【図５】
0003181050.tif 000007
【図６】
0003181050.tif 000008
【図７】
0003181050.tif 000009
【図８】
0003181050.tif 000010
【図９】
0003181050.tif 000011